(57)【要約】【課題】保護継電装置において、事故時のサンプリングデータをオフセット値の算出に使用しないように、地絡事故の遅れ時間を考慮したオフセット値算出方法を提供する。【解決手段】６０サンプル加算部で、３０°間隔でサンプリングされた電力系統のアナログ信号の瞬時値を１２サンプル、５サイクル分加算する。除算部５は、その加算結果を６０で除算して直流オフセット値として出力する。除算部５で算出された直流オフセット値を今回バッファ６，前回バッファ７，前々回バッファ８に順次ずらしながら格納する。補正値算出部２において、アナログ信号から前々回バッファ８に格納された直流オフセット値を減算して、アナログ信号の補正値を算出する。【選択図】図２
2018186639.tif 000002
【特許請求の範囲】
【請求項１】
３０°間隔でサンプリングされた電力系統のアナログ信号の瞬時値を１２サンプル、５サイクル分加算する６０サンプル加算部と、
その加算結果を６０で除算して直流オフセット値として出力する除算部と、
前記除算部で直近に算出された前記直流オフセット値を格納する今回バッファと、
前記除算部で前回算出された前記直流オフセット値を格納する前回バッファと、
前記除算部で前々回算出された前記直流オフセット値を格納する前々回バッファと、
前記アナログ信号から前記前々回バッファに格納された前記直流オフセット値を減算して、前記アナログ信号の補正値を算出する補正値算出部と、
を備えたことを特徴とする保護継電装置。
【請求項２】
地絡事故発生時は、前記６０サンプル加算部において前記アナログ信号の６０サンプルの加算を中止して初期化し、地絡事故復帰時は、地絡事故復帰してから所定時間経過後に前記６０サンプル加算部において前記アナログ信号の６０サンプルの加算を再開することを特徴とする請求項１記載の保護継電装置。
【請求項３】
地絡事故が検出された際は、前記前回バッファ、前記今回バッファに格納された前記直流オフセット値を削除し、前記前々回バッファに格納された前記直流オフセット値を前記前回バッファ、前記今回バッファに格納することを特徴とする請求項１または２記載の保護継電装置。
【発明の詳細な説明】
【技術分野】
【０００１】
本発明は、保護継電装置に係り、特に、入力した零相電流のアナログ処理における直流オフセット値の除去に関する。
【背景技術】
【０００２】
特許文献１には、アナログ入力におけるオフセット電圧の影響を除去する手段を備えたデジタル保護継電器に関する技術が記載されている。
【０００３】
具体的には、オフセット電圧を除去するため、入力信号の周波数と比べて十分長い期間の入力信号の積算量からオフセット値を算出し、オフセット値分の電圧を除去している。つまり、データの積算期間を、入力周波数の整数サイクルとすることで、定常的な交流成分を平均化してオフセット電圧を除去することが可能となることを示唆している。
【０００４】
特許文献２には、デジタル保護リレーにおいて、電力系統から少なくとも電流または電圧の信号をアナログ信号として取得するためのアナログ素子に起因する入力データの誤差を適切に補正する技術が開示されている。特許文献２は、発電関係の入力にも対応できるように極性反転で１サイクルの変化点を検出しオフセット量を算出することで、周波数が変動してもオフセット量の算出が可能である。
【先行技術文献】
【特許文献】
【０００５】
【特許文献１】特開平１−１９８２１３
【特許文献２】特許第５６８０２６０号
【発明の概要】
【発明が解決しようとする課題】
【０００６】
しかしながら、特許文献１および特許文献２のオフセット除去方法では、電力系統における事故時の値を直流オフセット値の算出に使用してしまうおそれがあった。
【０００７】
以上示したようなことから、保護継電装置において、事故時のサンプリングデータを直流オフセット値の算出に使用しないように、地絡事故の遅れ時間を考慮した直流オフセット値算出方法を提供することが課題となる。
【課題を解決するための手段】
【０００８】
本発明は、前記従来の問題に鑑み、案出されたもので、その一態様は、３０°間隔でサンプリングされた電力系統のアナログ信号の瞬時値を１２サンプル、５サイクル分加算する６０サンプル加算部と、その加算結果を６０で除算して直流オフセット値として出力する除算部と、前記除算部で直近に算出された前記直流オフセット値を格納する今回バッファと、前記除算部で前回算出された前記直流オフセット値を格納する前回バッファと、前記除算部で前々回算出された前記直流オフセット値を格納する前々回バッファと、前記アナログ信号から前記前々回バッファに格納された前記直流オフセット値を減算して、前記アナログ信号の補正値を算出する補正値算出部と、を備えたことを特徴とする。
【０００９】
また、その一態様として、地絡事故発生時は、前記６０サンプル加算部において前記アナログ信号の６０サンプルの加算を中止して初期化し、地絡事故復帰時は、地絡事故復帰してから所定時間経過後に前記６０サンプル加算部において前記アナログ信号の６０サンプルの加算を再開することを特徴とする。
【００１０】
また、その一態様として、地絡事故が検出された際は、前記前回バッファ、前記今回バッファに格納された前記直流オフセット値を削除し、前記前々回バッファに格納された前記直流オフセット値を前記前回バッファ、前記今回バッファに格納することを特徴とする。
【発明の効果】
【００１１】
本発明によれば、保護継電装置において、事故時のサンプリングデータをオフセット値の算出に使用しないように、地絡事故の遅れ時間を考慮したオフセット値算出方法を提供することが可能となる。
【図面の簡単な説明】
【００１２】
【図１】実施形態における零相電流補正値の算出方法を示すフローチャート。
【図２】実施形態における零相電流補正値の算出方法を示すブロック図。
【発明を実施するための形態】
【００１３】
以下、本願発明の保護継電装置の実施形態を図１，図２に基づいて詳述する。
【００１４】
［実施形態］
本実施形態は、電力系統のアナログ信号（例えば、零相電流Ｉ０）の直流オフセット値を除去する母線保護継電装置に関するものである。本実施形態における［直流オフセット値の算出］、［直流オフセット値の更新］、［地絡事故対策］の概略は以下のとおりである。
【００１５】
［直流オフセット値の算出］
３０°間隔でサンプリングした瞬時値データを１サイクル（１２サンプル）加算すると基本波周波数は除去され、直流分が算出される。平均化作用を期待して５サイクル分の加算を行うと、６０サンプルとなる。５サイクルの時間は５０Ｈｚで１００ｍｓごととなる。６０サンプルの加算結果を６０で割ると１サンプルあたりの直流分となる。この値を直流オフセット値とする。
【００１６】
［直流オフセット値の更新］
直流オフセット値の格納バッファは、直近に算出された直流オフセット値を差格納する今回バッファ、前回算出された直流オフセット値を格納する前回バッファ、前々回算出された直流オフセット値を格納する前々回バッファの３つのバッファを用意しておく。５サイクル（１００ｍｓ）ごとに算出された直流オフセット値を今回バッファに格納し、前々回バッファ、前回バッファも更新していく。零相電流の補正処理には、前々回バッファに格納されている直流オフセット値を使用する。
【００１７】
［地絡事故対策］
ＣＴ飽和を伴う地絡事故時には直流分が発生する。事故時の直流分を直流オフセット値の算出に使用しないために、以下の対策を行う。
（１）地絡事故時には直流オフセット値の算出処理を中止する。地絡事故復帰時は初期状態から直流オフセット値の算出処理を開始する。
（２）地絡事故時には、前回バッファ、今回バッファに格納された直流オフセット値を削除し、前々回バッファに格納されている直流オフセット値を前回バッファと今回バッファに格納する。
【００１８】
以下、図１に基づいて、本実施形態における零相電流補正値Ｉ０’の算出方法を説明する。
【００１９】
Ｓ１において、地絡事故が発生しているか否かを判定する。地絡事故が発生していない場合はＳ２へ移行し、地絡事故が発生している場合はＳ１１へ移行する。
【００２０】
Ｓ２において、６０サンプル加算処理を行う。すなわち、３０°間隔でサンプリングした電力系統のアナログ信号の瞬時値データを６０サンプル分加算していく。
【００２１】
Ｓ３において、６０サンプル分加算したか（５サイクル経過したか）否かを判定する。６０サンプル分加算した場合はＳ４へ移行し、６０サンプル分加算していない場合はＳ９へ移行する。
【００２２】
Ｓ４において、直流オフセット値を算出する。６０サンプルの加算結果を６０で割ると１サンプル当たりの直流オフセット値となる。
【００２３】
Ｓ５，Ｓ６，Ｓ７において、前々回バッファ、前回バッファ、今回バッファに格納されている直流オフセット値を更新する。まず、Ｓ５において、前回バッファに格納されていた直流オフセット値を前々回バッファに格納する。次に、Ｓ６において、今回バッファに格納されていた直流オフセット値を前回バッファに格納する。Ｓ７では、今回バッファにＳ４で算出された直流オフセット値を格納する。
【００２４】
Ｓ８において、６０サンプル加算処理の初期化を行う。
【００２５】
Ｓ９において、零相電流補正値Ｉ０’＝零相電流−直流オフセット値を算出する。
【００２６】
地絡事故が発生している場合は、Ｓ１１において、６０サンプル加算処理を初期化する。ＣＴ飽和を伴う地絡事故時には直流分が発生する。事故時の直流分を直流オフセット値の算出に使用しないために、地絡事故時には、直流オフセット算出処理をやめて、初期化状態から処理を始める。
【００２７】
Ｓ１２，Ｓ１３では、前回バッファ、今回バッファに格納されている直流オフセット値を削除し、前々回バッファに格納されている直流オフセット値を前回バッファ、今回バッファに格納する。その後Ｓ９へ移行する。
【００２８】
図２は、本実施形態における零相電流補正値Ｉ０’の算出方法を示すブロック図である。
【００２９】
零相電流Ｉ０を６０サンプル加算部１、零相電流補正値算出部２に出力する。
【００３０】
６０サンプル加算部１では、３０°間隔でサンプリングした瞬時値データを５サイクル分加算する。５サイクルは、５０Ｈｚ系では１００ｍｓ、６０Ｈｚ系では８３．３ｍｓとなる。
【００３１】
カウンタ部３では、６０サイクル分（５０Ｈｚ系では１００ｍｓ）カウントした場合、ｈｉｇｈレベルの信号を判定部４に出力する。
【００３２】
判定部４は、カウンタ部３からｈｉｇｈレベルの信号を入力した場合、６０サンプル加算部１の出力信号を除算部５に出力する。
【００３３】
除算部５は、判定部４から出力された零相電流Ｉ０を６０サンプル（５サイクル）分加算した加算結果を６０で除算する。この除算結果を直流オフセット値として今回バッファ６に出力する。
【００３４】
直流オフセット算出値を格納するバッファは、今回バッファ６、前回バッファ７、前々回バッファ８、の３つを設ける。
【００３５】
零相電流補正値算出部２は、零相電流補正値Ｉ０’＝零相電流−直流オフセット値を算出する。事故時の入力を補正しないように、地絡事故検出の遅れ時間を考慮し、前々回バッファ８に格納された直流オフセット値を使用する。零相電流Ｉ０から直流オフセット値を引き、オフセット分の除去を行う。正波判定要素、負波判定要素には、この零相電流補正値Ｉ０’を使用する。
【００３６】
地絡事故検出部９は、零相電圧Ｖ０が所定の閾値以上で地絡と判定する。地絡事故発生時は直流オフセット値の算出をしない。また、事故成分を直流オフセット値の算出に用いないように、クリア信号を６０サンプル加算部１、カウンタ部３に出力し、直流オフセット値算出の処理の初期化を行う。また、今回バッファ６，前回バッファ７に格納されている直流オフセット値を削除し、前々回バッファ８に格納されている直流オフセット値を今回バッファ６，前回バッファ７に格納する。
【００３７】
このように、地絡事故時は事故電流が直流オフセット値に含まれないように、加算データのリセット、直流オフセット値の入れ換えを行う。
【００３８】
地絡事故の復帰時は、クリア信号を停止し、直流オフセット値の再計算を行う。この時、例えば、５サイクル（５０Ｈｚでは１００ｍｓ）のオフディレイタイマ１０を設け、地絡事故から復帰してから５サイクル後にクリア信号を停止する。６０サンプル加算部１、カウンタ部３、今回バッファ６、前回バッファ７、前々回バッファ８はクリア信号を地絡事故復帰後から５サイクル後に受信するようになっており、事故影響を受けないようにしている。
【００３９】
以上示したように、本実施形態によれば、直流オフセット値を除去することにより正確な事故判定を行うことができる。また、ＡＤ変換値の下位ビット切り捨てなどのＡＤ変換器の精度を低下させることなく適用することができる。
【００４０】
また、本実施形態では、事故時のサンプリングデータをオフセット値の算出に使用しないようにしているため、地絡事故の遅れ時間を考慮したオフセット値の算出を行うことが可能となる。
【００４１】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００４２】
例えば、実施形態では、アナログ信号の零相電流Ｉ０の補正方法について説明したが、アナログ信号であれば、零相電圧Ｖ０など他の信号でも適用可能である。
【符号の説明】
【００４３】
１…６０サンプル加算部
２…零相電流補正値算出部（補正値算出部）
３…カウンタ部
４…判定部
５…除算部
６…今回バッファ
７…前回バッファ
８…前々回バッファ
９…地絡事故検出部
１０…オフディレイタイマ
【図１】
2018186639.tif 000003
【図２】
2018186639.tif 000004